(57)【特許請求の範囲】
【請求項１】
第１部分及び第２部分からなるクランプを閉鎖するための閉鎖装置であって、前記第１部分に回転自在に取り付けられる腕部と、該腕部の一端部が中央部に回転自在に取り付けられるレバーとを備え、該レバーは、一端部を把持して回動させることにより、他端部に形成した係合面を前記第２部分の係合部に係合させてクランプを閉鎖するようにした閉鎖装置において、
前記第２部分は突出部を有し、
前記レバーは、前記係合面を超えて長手方向に延びる伸長部を有し、クランプを閉鎖する際、前記伸長部の縁が前記第２部分の突出部に当接し、前記第１部分を前記第２部分に接近させた後、係合面を第２部分の係合部に係合させる閉鎖装置。
【請求項２】
前記伸長部は、クランプを開放する際、レバーの開放方向側の縁部を前記突出部に接触させることにより、第１部分と第２部分とを分離するようにした請求項１に記載の閉鎖装置。
【請求項３】
前記伸長部は、クランプを開放する際、前記突出部に係合するフック状部分を有する請求項２に記載の閉鎖装置。
【請求項４】
前記クランプは、第１部分及び第２部分をヒンジを中心として回動自在に連結してなるスプリットリングで構成した請求項１乃至３のいずれか１項に記載の閉鎖装置。
【発明の詳細な説明】
本発明は、オーバーセンタータイプの閉鎖装置、詳しくは、ハウジング、特に、ケーブルスプライス閉鎖ハウジングを閉鎖するための閉鎖装置であって、ハウジング自身の一部あるいはハウジングの第１部分と第２部分とを連結するクランプの一部としての閉鎖装置に関する。
ヨーロッパ特許0094848Ｂ（Raychem）には、周囲からケーブルジョイントを保護するための封入部材が開示されている。封入部材は２つの部分、例えば、閉鎖部と基部とから構成されている。２つの部分は、互いにフランジを付勢するクランプリングによって保持されている。クランプリングの詳細については開示されていない。
米国特許5059748（Raychem）には、クランプリングによって保持されたドーム部及び基部で構成されるケーブルスプライスの閉鎖部材が開示されている。前記リングは前記２部材に設けられる。それらはリングの一端に連結する挿通部に係合するボルトによってヒンジの他端に回動自在に連結されている。
英国特許2193605Aには、各端部でクランプリングによって互いにクランプ可能な２部品、中空スリーブと２つの端部キャップとから構成されるケーブルジョイントが開示されている。クランプリングは、ヒンジから離れた端部に回動自在に連結された２つの部分に設けられ、ボルト手段によって互いに係合可能とする挿通部を備えている。
ケーブルスプライス閉鎖部材、例えば、光ファイバーケーブルのためのケーブルスプライス閉鎖部材は、ベースとカバーとがクランプ手段、例えば、スプリットリングクランプによって締結され、オーバーセンター閉鎖装置によってクランプ位置に閉鎖されており、市販可能である。
従来のクランプが有する問題は、ケーブルスプライス閉鎖ハウジングの周囲をクランプすることが、特に、クランプ及び／又はハウジングが新しい場合、当該技術分野のエンジニアにとって困難だということである。エンジニアは、十分に閉鎖するために、ハンマーや木槌（それらは、ハウジング及び／又はケーブルを損傷し、一般に装着を困難にする。）でクランプをたたく助けを得なければならない。これにより、オーバーセンター閉鎖装置のレバーを、クランプを完全に閉鎖するように操作可能となる。それで、クランプを閉鎖する初期段階を簡単に行えることが切望されている。
ケーブルスプライスを追加するために、ケーブルスプライス閉鎖ハウジングを再開放することがしばしば必要とされる。従来のケーブルスプライス閉鎖クランプでは、一旦閉鎖されると、特に、しばらくの間、閉鎖されていると、閉鎖部のハウジングから取り外すのは難しいという問題がある。現在、ハウジングを開放するエンジニアは、分離手段（少なくとも幾つかのケースでは、特別にデザインされた工具である。）を使用してクランプを開放し、ハウジングから取り外さなければならない。そのような工具を不要とすることが切望されている。
本発明では、第１部分及び第２部分からなるクランプを閉鎖するための閉鎖装置であって、前記第１部分に回転自在に取り付けられる腕部と、該腕部の一端部が中央部に回転自在に取り付けられるレバーとを備え、該レバーは、一端部を把持して回動させることにより、他端部に形成した係合面を前記第２部分の係合部に係合させてクランプを閉鎖するようにした閉鎖装置において、
前記第２部分は突出部を有し、
前記レバーは、前記係合面を超えて長手方向に延びる伸長部を有し、クランプを閉鎖する際、前記伸長部の縁が前記第２部分の突出部に当接し、前記第１部分を前記第２部分に接近させた後、係合面を第２部分の係合部に係合させるようにしたものである。
前記伸長部は、クランプを開放する際、レバーの開放方向側の縁部を前記突出部に接触させることにより、第１部分と第２部分とを分離するようにするのが好ましい。
前記伸長部は、クランプを開放する際、前記突出部に係合するフック状部分を有するのが好ましい。
前記クランプは、第１部分及び第２部分をヒンジを中心として回動自在に連結してなるスプリットリングで構成するのが好ましい。
以下、添付図面を参照して本発明の実施例を説明する。
図１は、本発明に係るクランプの閉鎖初期段階前の斜視図である。
図２は、図１のクランプの開放の初期段階前の閉鎖位置での斜視図である。
図３は、図２のクランプの閉鎖装置の詳細を示す拡大図である。
図４は、図１ないし３のクランプの開放初期段階での拡大図である。
図１は、本発明に係るクランプ１の部分斜視図である。クランプ１は、第１部分２及び第２部分３（クランプ全体は図２に示されている、）を有するスプリットリング（例えば、ケーブルスプライス閉鎖ハウジングの外周フランジの周りを閉鎖するためのもの）で構成されている。クランプ１の閉鎖装置６は２０でクランプの第１部分２に回動自在に設けた腕部９に回動自在に取り付けたレバー１１で構成されている。レバー１１は、８でクランプの第２部分３に係合する係合面２１を有し、レバー１１がオーバーセンター位置（図２の点線で示す。）にあるとき、クランプの２つの部分２，３が締結される。レバーは、係合面２１を越えて伸びる２つの伸長部１５を有し、図１に示すように、クランプを閉鎖する初期段階で、初期閉鎖てこ作用をもたらすため、（好ましくは、ピン形状の）突出部１７に接触してクランプの第２部分３と協働する。その結果、この操作モードで、伸長部１５が、そのような伸長部のない従来のレバーと比較してレバー１１のストロークを増大させる。この操作モードでは、レバーによってもたらされるてこ作用の大部分が伸長部の使用により小さくなっているが、通常、クランプを閉鎖する初期段階では十分である。従来の閉鎖装置では、クランプを閉鎖する初期段階でのこの補助は、そのような伸長部がないために得られず、従って閉鎖装置でクランプを閉じて完全にクランプを閉鎖することは困難である。
図２は、図１のクランプが閉鎖位置にある場合を示す。クランプの全体が示され、部分２及び３の間のヒンジ４が図示されている。レバー１１の最終オーバーセンター位置は点線で示され、全体を図示されたレバーは、クランプを開放する初期段階で、初期開放てこ作用として使用する前の状態が示されている。レバー１１を含む閉鎖装置６は図３により詳細に示されている。伸長部１５の端部のフック状部分１６は、突出部１７に係合した状態で示されている。図４では、レバー１１が、突出部１７を備えて伸長部１５の係合により、スプリットリングクランプを開放する初期開放てこ作用をもたらすようになっている。好ましくは、このてこ作用が、少なくとも幾らかの軸方向の外力を、ハウジングから引き離すために補助するクランプに与えるのがよい。そして、図２ないし４は、本発明の第２の利点、すなわち、クランプの開放及び取外しを従来のクランプの場合に比べてより容易とするという利点を図示している。従来、クランプを開放可能とするために、通常、分離工具が必要とされている。本発明は、この分離工具を必要とせず、クランプを開放する簡単で効率的な機構を提供する。
クランプ、特に閉鎖装置は、図１ないし４に示すように、本発明の利点（すなわち、クランプの閉鎖及び開放を容易とすること）が共に、どのようにして単一の部材に一体化するかを図示している。
【図１】
0003712735.tif 000002
【図２】
0003712735.tif 000003
【図３】
0003712735.tif 000004
【図４】
0003712735.tif 000005